(57)【特許請求の範囲】
【請求項１】
複数の棚に陳列された商品を検品する棚検品装置であって、
前記棚に陳列された商品の検品を実行するための検品キー、ならびに前記検品の結果および商品の仕入れ数を表示する表示部を有する電子棚札と、
前記棚に陳列された商品に付されたタグに格納されている当該商品の品名を含む商品情報を読み取るタグリーダと、
前記棚を一意に特定するための棚番号、前記電子棚札を一意に特定するための電子棚札番号、および前記タグリーダを一意に特定するためのタグリーダ番号を格納する棚管理情報データベースと、
前記棚番号、商品の品名、商品の仕入れ数および商品の陳列数を格納する商品情報データベースと、
前記検品キーが押下された場合に、前記検品キーを有する前記電子棚札に対応する前記電子棚札番号に基づいて前記棚管理情報データベースから前記棚番号および前記タグリーダ番号を特定し、前記特定された棚番号に基づいて前記商品情報データベースから商品の品名および商品の仕入れ数を特定し、前記特定された前記タグリーダ番号に対応する前記タグリーダによって読み取られた前記商品情報に基づいて前記棚に陳列された商品の陳列数を計算し、当該計算の結果および前記特定された商品の仕入れ数を前記表示部に表示させるとともに、前記計算された商品の陳列数を商品情報データベースに格納する制御手段と、
を備えることを特徴とする棚検品装置。
【請求項２】
複数の棚に陳列された商品を検品する棚検品方法であって、
前記棚に陳列された商品の検品を実行するための検品キー、ならびに前記検品の結果および商品の仕入れ数を表示する表示部を有する電子棚札と、
前記棚に陳列された商品に付されたタグに格納されている当該商品の品名を含む商品情報を読み取るタグリーダと、
前記棚を一意に特定するための棚番号、前記電子棚札を一意に特定するための電子棚札番号、および前記タグリーダを一意に特定するためのタグリーダ番号を格納する棚管理情報データベースと、
前記棚番号、商品の品名、商品の仕入れ数および商品の陳列数を格納する商品情報データベースと、
を有する棚検品装置が、
前記検品キーが押下された場合に、前記検品キーを有する前記電子棚札に対応する前記電子棚札番号に基づいて前記棚管理情報データベースから前記棚番号および前記タグリーダ番号を特定し、前記特定された棚番号に基づいて前記商品情報データベースから商品の品名および商品の仕入れ数を特定し、前記特定された前記タグリーダ番号に対応する前記タグリーダによって読み取られた前記商品情報に基づいて前記棚に陳列された商品の陳列数を計算し、当該計算の結果および前記特定された商品の仕入れ数を前記表示部に表示させるとともに、前記計算された商品の陳列数を商品情報データベースに格納する制御工程を含むことを特徴とする棚検品方法。
【請求項３】
複数の棚に陳列された商品を検品する棚検品プログラムであって、
前記棚に陳列された商品の検品を実行するための検品キー、ならびに前記検品の結果および商品の仕入れ数を表示する表示部を有する電子棚札と、
前記棚に陳列された商品に付されたタグに格納されている当該商品の品名を含む商品情報を読み取るタグリーダと、
前記棚を一意に特定するための棚番号、前記電子棚札を一意に特定するための電子棚札番号、および前記タグリーダを一意に特定するためのタグリーダ番号を格納する棚管理情報データベースと、
前記棚番号、商品の品名、商品の仕入れ数および商品の陳列数を格納する商品情報データベースと、
を有するコンピュータを、
前記検品キーが押下された場合に、前記検品キーを有する前記電子棚札に対応する前記電子棚札番号に基づいて前記棚管理情報データベースから前記棚番号および前記タグリーダ番号を特定し、前記特定された棚番号に基づいて前記商品情報データベースから商品の品名および商品の仕入れ数を特定し、前記特定された前記タグリーダ番号に対応する前記タグリーダによって読み取られた前記商品情報に基づいて前記棚に陳列された商品の陳列数を計算し、当該計算の結果および前記特定された商品の仕入れ数を前記表示部に表示させるとともに、前記計算された商品の陳列数を商品情報データベースに格納する制御手段として機能させるための棚検品プログラム。
【発明の詳細な説明】
【０００１】
【発明の属する技術分野】
本発明は、店舗内の棚に陳列されている商品の検品に用いられる棚検品装置、棚検品方法および棚検品プログラムに関するものであり、特に、迅速かつ正確に検品を実行することができる棚検品装置、棚検品方法および棚検品プログラムに関するものである。
【０００２】
【従来の技術】
従来より、店舗においては、複数の棚に予め決められた商品を陳列する作業や、陳列する際に、ハンディターミナルで商品に付されたバーコードを読み取らせることにより商品を一品単位で検品する作業等が手作業で行われている。また、従来では、棚に陳列されている商品の数を把握する場合には、店員によるカウントが必要とされている。
【０００３】
【発明が解決しようとする課題】
ところで、前述したように、従来においては、ハンディターミナルでバーコードを一品一品読み取らせることにより検品を行っているため、商品数に比例して多大な時間および労力を検品に費やさなければならないという問題があった。特に、大規模店舗においては、検品作業に膨大な時間を要し、人件費の高騰を招いている。
【０００４】
また、従来においては、店員が棚に陳列されている商品の数をいちいちカウントすることにより、陳列数を把握しているため、時間的な無駄や、カウントミスを招き易いという問題があった。
【０００５】
本発明は、上記に鑑みてなされたもので、迅速かつ正確に検品を実行することができる棚検品装置、棚検品方法および棚検品プログラムを提供することを目的とする。
【０００６】
【課題を解決するための手段】
上記目的を達成するために、本発明は、複数の棚に陳列された商品を検品する棚検品装置であって、前記棚に陳列された商品の検品を実行するための検品キー、ならびに前記検品の結果および商品の仕入れ数を表示する表示部を有する電子棚札と、前記棚に陳列された商品に付されたタグに格納されている当該商品の品名を含む商品情報を読み取るタグリーダと、前記棚を一意に特定するための棚番号、前記電子棚札を一意に特定するための電子棚札番号、および前記タグリーダを一意に特定するためのタグリーダ番号を格納する棚管理情報データベースと、前記棚番号、商品の品名、商品の仕入れ数および商品の陳列数を格納する商品情報データベースと、前記検品キーが押下された場合に、前記検品キーを有する前記電子棚札に対応する前記電子棚札番号に基づいて前記棚管理情報データベースから前記棚番号および前記タグリーダ番号を特定し、前記特定された棚番号に基づいて前記商品情報データベースから商品の品名および商品の仕入れ数を特定し、前記特定された前記タグリーダ番号に対応する前記タグリーダによって読み取られた前記商品情報に基づいて前記棚に陳列された商品の陳列数を計算し、当該計算の結果および前記特定された商品の仕入れ数を前記表示部に表示させるとともに、前記計算された商品の陳列数を商品情報データベースに格納する制御手段と、を備えることを特徴とする。
【０００７】
また、本発明は、複数の棚に陳列された商品を検品する棚検品方法であって、前記棚に陳列された商品の検品を実行するための検品キー、ならびに前記検品の結果および商品の仕入れ数を表示する表示部を有する電子棚札と、前記棚に陳列された商品に付されたタグに格納されている当該商品の品名を含む商品情報を読み取るタグリーダと、前記棚を一意に特定するための棚番号、前記電子棚札を一意に特定するための電子棚札番号、および前記タグリーダを一意に特定するためのタグリーダ番号を格納する棚管理情報データベースと、前記棚番号、商品の品名、商品の仕入れ数および商品の陳列数を格納する商品情報データベースと、を有する棚検品装置が、前記検品キーが押下された場合に、前記検品キーを有する前記電子棚札に対応する前記電子棚札番号に基づいて前記棚管理情報データベースから前記棚番号および前記タグリーダ番号を特定し、前記特定された棚番号に基づいて前記商品情報データベースから商品の品名および商品の仕入れ数を特定し、前記特定された前記タグリーダ番号に対応する前記タグリーダによって読み取られた前記商品情報に基づいて前記棚に陳列された商品の陳列数を計算し、当該計算の結果および前記特定された商品の仕入れ数を前記表示部に表示させるとともに、前記計算された商品の陳列数を商品情報データベースに格納する制御工程を含むことを特徴とする。
【０００８】
また、本発明は、複数の棚に陳列された商品を検品する棚検品プログラムであって、前記棚に陳列された商品の検品を実行するための検品キー、ならびに前記検品の結果および商品の仕入れ数を表示する表示部を有する電子棚札と、前記棚に陳列された商品に付されたタグに格納されている当該商品の品名を含む商品情報を読み取るタグリーダと、前記棚を一意に特定するための棚番号、前記電子棚札を一意に特定するための電子棚札番号、および前記タグリーダを一意に特定するためのタグリーダ番号を格納する棚管理情報データベースと、前記棚番号、商品の品名、商品の仕入れ数および商品の陳列数を格納する商品情報データベースと、を有するコンピュータを、前記検品キーが押下された場合に、前記検品キーを有する前記電子棚札に対応する前記電子棚札番号に基づいて前記棚管理情報データベースから前記棚番号および前記タグリーダ番号を特定し、前記特定された棚番号に基づいて前記商品情報データベースから商品の品名および商品の仕入れ数を特定し、前記特定された前記タグリーダ番号に対応する前記タグリーダによって読み取られた前記商品情報に基づいて前記棚に陳列された商品の陳列数を計算し、当該計算の結果および前記特定された商品の仕入れ数を前記表示部に表示させるとともに、前記計算された商品の陳列数を商品情報データベースに格納する制御手段として機能させるための棚検品プログラムである。
【０００９】
この発明によれば、棚に陳列された各商品にそれぞれ付され商品情報を保持するタグから商品情報を読み取り、この商品情報に基づいて、棚に陳列された商品の陳列数を求めているため、迅速かつ正確に検品を行うことができる。
【００１０】
【発明の実施の形態】
以下、図面を参照して本発明にかかる棚検品装置、棚検品方法および棚検品プログラムの一実施の形態について詳細に説明する。
【００１１】
図１は、本発明にかかる一実施の形態の構成を示すブロック図である。この図において、ホストコンピュータ１００は、例えば、フランチャイズ方式により複数の店舗を展開するフランチャイズ本部に設置されたコンピュータ装置であり、ネットワーク２００を介して、店舗９００側に設置された電子棚管理装置３００と通信可能とされている。このホストコンピュータ１００は、電子棚管理装置３００より店舗９００の売上情報を受信する機能等を備えている。
【００１２】
図２は、電子棚管理装置３００が設置された店舗９００内の棚配置を示す図である。店舗９００においては、棚Ｒ１−１〜Ｒ１−１０、棚Ｆ１−１〜Ｆ１−３、棚Ｌ１−１、棚Ｌ１−２、棚Ｓ１Ｒ−１〜Ｓ１Ｒ−６および棚Ｓ１Ｌ−１〜Ｓ１Ｌ−６がそれぞれ配置されている。なお、実際には、これらの棚は、垂直方向に複数段の構成とされている。同図では、１段目の平面図が図示されている。
【００１３】
ここで、上述した棚割情報としては、例えば、棚Ｒ１−１に代表品名分類としての清涼飲料水（具体的には、ＦＪ炭酸、ＪＪコーヒ、ウーロン茶等：図５参照）を陳列するという情報が挙げられる。以下同様にして、他の棚に関しても、陳列すべき商品が決められている。なお、一実施の形態では、図２に示した棚Ｒ１−１等を棚大区分番号Ｒ１−１等として便宜的に表記する場合がある。
【００１４】
図５は、図２に示した棚Ｒ１−１の構成を示す平面図である。この図に示したように、棚Ｒ１−１は、５つの棚１〜５にさらに細分化されている。棚Ｒ１−１に関する棚割情報によれば、棚１には、ＦＪ炭酸という商品が陳列される。また、棚２には、ＪＪコーヒという商品が陳列される。以下同様にして、棚５には、ＢＢコーヒブラックという商品が陳列される。なお、一実施の形態では、図５に示した棚１等を棚番号１等として便宜的に表記する場合がある。
【００１５】
図１に戻り、電子棚管理装置３００は、店舗９００（図２参照）における各棚に陳列されている商品の売上管理、商品の検品、後述する電子棚札５００1 〜５００n の表示制御、後述するタグリーダ８００1 〜８００s の駆動制御を実行する。
【００１６】
電子棚管理装置３００において、通信インタフェース３０１は、所定の通信プロトコルに従って、ネットワーク２００を介して、ホストコンピュータ１００との間の通信を制御する。売上処理部３０２は、商品が販売された場合に売上情報処理装置４５０から送信される売上情報を集計し、ホストコンピュータ１００へ送信する機能等を備えている。
【００１７】
制御部３０３は、装置各部を制御するものである。この制御部３０３の動作の詳細については、後述する。タッチパネル付き表示部３０４は、ディスプレイの表面に感圧式のタッチパネルが貼着されてなり、店員向けにメニュー画面等を表示する機能と、タッチパネルによるキー機能とを兼ね備えている。
【００１８】
商品情報データベース３０５は、店舗９００（図２参照）で販売される商品に関する商品情報を格納するデータベースである。具体的には、図３に示したように、商品情報データベース３０５は、「棚大区分番号」、「棚番号」、「品名」、「メーカ記号」、「バーコード情報」、「価格」、「賞味期限」、「仕入れ数」、「陳列数」等のフィールドを備えている。
【００１９】
「棚大区分番号」は、図２に示した棚Ｒ１−１、Ｒ１−２、・・・、Ｓ１Ｌ−６にそれぞれ対応している。「棚番号」は、図５に示した棚１、・・・にそれぞれ対応している。「品名」は、商品の名称である。「メーカ記号」は、商品のメーカを表す記号である。
【００２０】
「バーコード情報」は、商品に付されているバーコードに関する情報である。「価格」は、商品の販売価格である。「賞味期限」は、商品の賞味期限に関する情報である。「仕入れ数」は、店舗９００で当該商品を仕入れた数である。「陳列数」は、棚に陳列されている当該商品の数である。
【００２１】
図１に戻り、棚管理情報データベース３０６は、店舗９００における各棚を管理するための棚管理情報を格納するデータベースである。具体的には、図４に示したように、棚管理情報データベース３０６は、「棚大区分番号」、「棚番号」、「電子棚札番号」、「タグリーダ番号」、「代表品名分類」等のフィールドを備えている。
【００２２】
「棚大区分番号」および「棚番号」は、図３に示した「棚大区分番号」および「棚番号」に対応している。「電子棚札番号」は、後述する電子棚札５００1 〜５００n （図１参照）を識別するための番号である。「タグリーダ番号」は、後述するタグリーダ８００1 〜８００s を識別するための番号である。「代表品名分類」は、棚大区分番号に対応する棚に陳列される複数の商品の分類である。
【００２３】
図１に戻り、価格表示部３０７は、棚管理情報データベース３０６および商品情報データベース３０５に基づき電子棚札に商品情報を表示させる。入出力インタフェース３０８は、売上処理部３０２および制御部３０３と、電子棚札５００1 〜５００n 、スーパタグ発行装置６００およびタグリーダ８００1 〜８００s との間のインタフェースをとる。
【００２４】
バーコードスキャナ４００は、商品に付されたバーコード情報を光学的に読み取る装置であり、売上情報処理装置４５０に接続されている。売上情報処理装置４５０は、バーコードスキャナ４００からのバーコード情報に基づく売上情報を処理する。電子棚札５００1 〜５００n は、各棚に配設されており、品名、価格、当該商品の仕入れ数、当該棚における商品の陳列数等を電子的に表示する機能や、検品指示を行うための機能等を備えている。これらの電子棚札５００1 〜５００n には、ユニークな電子棚札番号（図４参照）がそれぞれ付与されている。
【００２５】
例えば、電子棚札５００1 〜５００n のうち、図５に示したように、電子棚札５００1 〜５００5 は、棚１〜５の通路側にそれぞれ配設されている。図６は、図５に示した電子棚札５００1 の外観構成を示す図である。
【００２６】
この図において、表示部５０１は、制御部３０３（図１参照）および価格表示部３０７により表示制御される。この表示部５０１には、棚１に陳列されている商品の品名（ＦＪ炭酸）、価格（１２０円）や、検品時に図１５に示した仕入れ数（４８）、陳列数（１０）等が表示される。検品キー５０２は、棚に陳列されている商品の検品を行うためのキーである。検品としては、当該商品の品名、陳列数の確認や、仕入れ数と陳列数との比較等が挙げられる。
【００２７】
図７は、図６に示した電子棚札５００1 の電気的構成を示すブロック図である。この図において、図６の各部に対応する部分には同一の符号を付けその説明を省略する。同図に示したインタフェース５０３は、入出力インタフェース３０８（図１参照）に接続されている。ドライバ５０４は、制御部３０３（図１参照）および価格表示部３０７の制御の下で表示部５０１を駆動する。なお、図１に示した電子棚札５００2 〜５００n は、上述した電子棚札５００1 と同一構成とされている。
【００２８】
スーパタグ発行装置６００は、スーパタグ７００1 〜７００m を発行する装置である。これらのスーパタグ７００1 〜７００m は、各商品にそれぞれ付されるタグであり、後述するタグリーダ８００1 〜８００s により、無線リンクを介して図９に示したスーパタグ情報７１０がリードされる。
【００２９】
スーパタグ情報７１０は、当該商品に関する商品情報等からなる。具体的には、スーパタグ情報７１０において、棚番号、品名、メーカ記号、バーコード情報、価格および賞味期限は、図３に示した棚番号、品名、メーカ記号、バーコード情報、価格および賞味期限に対応している。検品用個数フラグは、商品の個数をカウントする場合に用いられるフラグである。発行日は、スーパタグ発行装置６００よりスーパタグが発行された日付である。
【００３０】
図５に示した棚１においては、ＦＪ炭酸という１０本の商品が陳列されており、それぞれの商品にスーパタグ７００1 〜７００10 が付されている。棚２においては、ＪＪコーヒという１１本の商品が陳列されており、それぞれの商品にスーパタグ７００a 〜７００a+10 が付されている。
【００３１】
棚３においては、ウーロン茶５００ｍｌという１２本の商品が陳列されており、それぞれの商品にスーパタグ７００b 〜７００b+11 が付されている。棚４においては、ウーロン茶３５０ｍｌという２本の商品が陳列されており、それぞれの商品にスーパタグ７００c 、７００c+1 が付されている。
【００３２】
棚５においては、ＢＢコーヒブラックという５本の商品が陳列されており、それぞれの商品にスーパタグ７００d 〜７００d+4 が付されている。以下同様にして、各棚（図示略）には、スーパタグが付された商品がそれぞれ陳列されている。
【００３３】
タグリーダ８００1 は、棚Ｒ１−１（棚１〜５）に陳列された各商品のスーパタグ７００1 〜７００d+4 のそれぞれからスーパタグ情報をリードする。また、他のタグリーダ８００2 〜８００s は、図２に示した棚Ｒ１−２〜棚Ｓ１Ｌ−６にそれぞれ対応して設けられ、各スーパタグからスーパタグ情報をリードする。
【００３４】
図８は、図５に示したスーパタグ７００1 およびタグリーダ８００1 の構成を示すブロック図である。この図に示したタグリーダ８００1 において、制御部８０１は、各部を制御する。送信部８０２は、スーパタグ（同図では、スーパタグ７００1 ）に対して特有の周波数成分を有する信号を送信する。
【００３５】
受信部８０３は、スーパタグ７００1 から返送された信号を受信し復調することにより、受信信号に含まれるスーパタグ情報７１０（図９参照）を読み取る。なお、タグリーダ８００1 は、複数のスーパタグのそれぞれに対して、時分割多重により信号の送受信を行う機能を備えている。
【００３６】
一方、スーパタグ７００1 において、受信アンテナ７０１は、タグリーダ８００1 からの信号を受信するアンテナである。ネットワーク７０２は、受信アンテナ７０１を介して入力された信号を、後段のバンドパスフィルタ７０３およびローパスフィルタ７０５へ出力するとともに、当該信号の例えば３倍高調波をＲＦスイッチ７０６へ出力する。
【００３７】
ローパスフィルタ７０５は、ネットワーク７０２からの信号のうち、低周波成分を通過させて後段の制御部７０４へ出力する。この低周波成分は、制御部７０４に起電力として供給される。バンドパスフィルタ７０３は、ネットワーク７０２からの信号のうち、所望の帯域成分を通過させて後段の制御部７０４に出力する。
【００３８】
制御部７０４には、スーパタグ情報７１０（図９参照）が格納されている。この制御部７０４は、バンドパスフィルタ７０３からの帯域成分に基づいて、上記スーパタグ情報７１０をＲＦスイッチ７０６および送信アンテナ７０７を介して、タグリーダ８００1 へ送信する制御を行う。
【００３９】
ＲＦスイッチ７０６は、制御部７０４からハイレベルの制御信号が入力されている間、ネットワーク７０２からの信号およびスーパタグ情報７１０を送信アンテナ７０７へ送信する一方、ローレベルの制御信号が入力された場合、ネットワーク７０２からの信号およびスーパタグ情報７１０を送信しないようになっている。なお、図１に示したスーパタグ７００2 〜７００m およびタグリーダ８００2 〜８００s は、上述したスーパタグ７００1 およびタグリーダ８００1 と同一構成とされている。
【００４０】
つぎに、一実施の形態の動作について、図１０〜図１２に示したフローチャート、図１３〜図１５を参照しつつ詳述する。
【００４１】
図１０に示したステップＳＡ１では、電子棚管理装置３００の制御部３０３は、図１３に示した初期画面１０００をタッチパネル付き表示部３０４に表示させる。この初期画面１０００において、棚割詳細表示キー１００１は、棚割の詳細を表示させるためのキーである。棚配置図１００２は、図２に示した店舗９００内の棚配置に対応している。ステップＳＡ２では、制御部３０３は、棚割表示キー１００１が押下されたか否かを判断し、この場合、判断結果を「Ｎｏ」とする。
【００４２】
ステップＳＡ３では、制御部３０３は、電子棚札５００1 〜５００n のうちいずれかの電子棚札の検品キー（例えば、図６の検品キー５０２）が店員により押下されたか否かを判断し、この場合、判断結果を「Ｎｏ」として、ステップＳＡ１〜ステップＳＡ３を繰り返す。
【００４３】
そして、図１３に示した棚割表示キー１００１が押下されると、制御部３０３は、ステップＳＡ２の判断結果を「Ｙｅｓ」とする。ステップＳＡ４では、制御部３０３および価格表示部３０７は、電子棚札に商品の品名／価格を表示するための品名／価格表示処理を実行する。
【００４４】
具体的には、図１１に示したステップＳＢ１では、制御部３０３は、棚管理情報データベース３０６からの棚割情報に基づいて、図１４に示した棚割表示画面１１００をタッチパネル付き表示部３０４に表示させる。
【００４５】
棚割詳細図１１０２は、図１３に示した棚配置図１００２に対応している。但し、棚割詳細図１１０２の各ブロックには、棚管理情報データベース３０６（図４参照）の棚管理情報に基づく代表品名分類が表示されている。例えば、図１３に示した棚Ｒ１−１には、図１４に示した清涼飲料水１が割り当てられている。また、棚割詳細図１１０２の各ブロックは、代表品名分類キーとされている。
【００４６】
図１１に示したステップＳＢ２では、制御部３０３は、棚割詳細図１１０２における代表品名分類キーが押下されたか否かを判断し、この場合、判断結果を「Ｎｏ」として、同判断を繰り返す。そして、店員により、図１４に示した代表品名分類キー１１０３（清涼飲料水１）が押下されると、制御部３０３は、ステップＳＢ２の判断結果を「Ｙｅｓ」とする。
【００４７】
ステップＳＢ３では、制御部３０３は、代表品名分類キー１１０３に対応する棚大区分番号（Ｒ１−１）をキーとして、図３に示した商品情報データベース３０５から棚番号、品名、バーコード情報およびメーカ記号を検索する。つぎに、制御部３０３は、検索結果を詳細品名画面（図示略）として、タッチパネル付き表示部３０４に表示させる。
【００４８】
この詳細品名画面には、上記検索結果としての詳細品名情報や、品名／価格を電子棚札に表示させるための品名／価格表示キーが表示されている。図１１に示したステップＳＢ４では、制御部３０３は、店員により、詳細品名情報から品名が選択された後、品名／価格表示キーが押下されたか否かを判断し、この場合、判断結果を「Ｎｏ」として、同判断を繰り返す。
【００４９】
そして、店員により、詳細品名情報から、例えば、ＦＪ炭酸が選択された後、品名／価格表示キーが押下されると、制御部３０３は、ステップＳＢ４の判断結果を「Ｙｅｓ」とする。ステップＳＢ５では、制御部３０３は、選択されたＦＪ炭酸に対応する棚番号１（図４参照）をキーとして、電子棚札番号０００１を特定する。
【００５０】
ステップＳＢ６では、価格表示部３０７は、上記棚番号をキーとして、図３に示した商品情報データベース３０５から品名／価格（ＦＪ炭酸および１２０円）を検索する。ステップＳＢ７では、価格表示部３０７は、図５に示した電子棚札５００1 の表示部５０１（図６参照）に、「ＦＪ炭酸」（品名）および「１２０円」（価格）を表示させた後、図１０に示したメインルーチンへ戻る。
【００５１】
また、電子棚札単位で検品を行う場合、店員は、例えば、図５に示した電子棚札５００1 の検品キー５０２（図６参照）を押下する。これにより、制御部３０３は、図１０に示したステップＳＡ３の判断結果を「Ｙｅｓ」とする。ステップＳＡ５では、制御部３０３は、図５に示した電子棚札５００1 （棚１）に関する電子棚札単位検品処理を実行する。
【００５２】
具体的には、図１２に示したステップＳＣ１では、制御部３０３は、上記電子棚札５００1 の電子棚札番号０００１をキーとして、図４に示した棚管理情報データベース３０６からタグリーダ番号００１を検索し、対応するタグリーダ８００1 （図５参照）を特定する。
【００５３】
つぎに、制御部３０３は、上記電子棚札番号０００１に対応する棚番号（図４参照）をキーとして、図３に示した商品情報データベース３０５から品名（ＦＪ炭酸）を検索し、検品対象の品名を特定する。
【００５４】
ステップＳＣ２では、制御部３０３は、図８に示したタグリーダ８００1 を起動させる。これにより、制御部８０１により、送信部８０２および受信部８０３が動作し、図５に示したスーパタグ７００1 〜７００10 からスーパタグ情報７１０（図９参照）がそれぞれリードされる。なお、実際には、スーパタグ７００1 〜７００10 以外のスーパタグからもスーパタグ情報７１０がリードされるが、これらのスーパタグ情報７１０は、制御部３０３で品名をキーとしてフィルタリングされる。
【００５５】
図１２に示したステップＳＣ３では、制御部３０３は、図５に示したスーパタグ７００1 〜７００10 のそれぞれから受信したスーパタグ情報７１０（図９参照）から、当該商品（ＦＪ炭酸）の陳列数を集計し、陳列数の情報を商品情報データベース３０５（図３参照）に格納する。
【００５６】
図５に示した例では、以下の集計結果となる。
0004017424.tif 000002
【００５７】
ステップＳＣ４では、制御部３０３は、棚番号（または品名）をキーとして、図３に示した商品情報データベース３０５から商品の仕入れ数を検索する。ステップＳＣ５では、制御部３０３は、ステップＳＣ３での集計結果およびステップＳＣ４での検索結果を検品結果とし、図１５に示したように、電子棚札５００1 の表示部５０１に検品結果（品名、仕入れ数、陳列数）を表示させた後、図１０に示したメインルーチンへ戻る。
【００５８】
以上説明したように、一実施の形態によれば、図５に示した棚１〜５に陳列された各商品にそれぞれ付されたスーパタグ７００1 〜７００d+4 からスーパタグ情報を読み取り、このスーパタグ情報に基づいて、棚に陳列された商品の陳列数を求めているため、迅速かつ正確に検品を行うことができる。
【００５９】
また、一実施の形態によれば、棚に図６に示した電子棚札５００1 を配設し、検品キー５０２の操作をトリガとして、当該棚単位での検品を実行し、検品結果を表示部５０１に表示させているため、棚近傍での別作業のついでに検品作業も行え、利便性を高めることができる。
【００６０】
また、一実施の形態によれば、図１５に示したように、商品の仕入れ数（論理数量）と陳列数とを比較することで検品を実行しているため、商品の補充管理も迅速かつ正確に行うことができる。
【００６１】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【００６２】
例えば、前述した一実施の形態においては、電子棚管理装置３００の機能を実現するためのプログラムを図１６に示したコンピュータ読み取り可能な記録媒体１５００に記録して、この記録媒体１５００に記録されたプログラムを同図に示したコンピュータ１４００に読み込ませ、実行することにより電子棚管理装置３００の機能を実現してもよい。
【００６３】
同図に示したコンピュータ１４００は、上記プログラムを実行するＣＰＵ（Central Processing Unit）１４１０と、キーボード、マウス等の入力装置１４２０と、各種データを記憶するＲＯＭ（Read Only Memory）１４３０と、演算パラメータ等を記憶するＲＡＭ（Random Access Memory）１４４０と、記録媒体１５００からプログラムを読み取る読取装置１４５０と、ディスプレイ、プリンタ等の出力装置１４６０と、装置各部を接続するバス１４７０とから構成されている。
【００６４】
ＣＰＵ１４１０は、読取装置１４５０を経由して記録媒体１５００に記録されているプログラムを読み込んだ後、プログラムを実行することにより、前述した機能を実現する。なお、記録媒体１５００としては、光ディスク、フレキシブルディスク、ハードディスク等が挙げられる。
【００６５】
【発明の効果】
以上説明したように、本発明によれば、棚に陳列された各商品にそれぞれ付され商品情報を保持するタグから商品情報を読み取り、この商品情報に基づいて、棚に陳列された商品の陳列数を求めているため、迅速かつ正確に検品を行うことができるという効果を奏する。
【００６６】
また、本発明によれば、棚に電子棚札を配設し、検品キーの操作をトリガとして、当該棚単位での検品を実行し、検品結果を表示部に表示させているため、棚近傍での別作業のついでに検品作業も行え、利便性を高めることができるという効果を奏する。
【００６７】
また、本発明によれば、商品の論理数量と陳列数とを比較することで検品を実行しているため、商品の補充管理も迅速かつ正確に行うことができるという効果を奏する。
【図面の簡単な説明】
【図１】本発明にかかる一実施の形態の構成を示すブロック図である。
【図２】同一実施の形態における店舗９００内の棚配置を示す平面図である。
【図３】図１に示した商品情報データベース３０５のテーブル構造を示す図である。
【図４】図１に示した棚管理情報データベース３０６のテーブル構造を示す図である。
【図５】図２に示した棚Ｒ１−１の構成を示す平面図である。
【図６】図５に示した電子棚札５００1 の外観構成を示す図である。
【図７】図６に示した電子棚札５００1 の電気的構成を示すブロック図である。
【図８】図５に示したスーパタグ７００1 およびタグリーダ８００1 の構成を示すブロック図である。
【図９】同一実施の形態で用いられるスーパタグ情報７１０を示す図である。
【図１０】同一実施の形態の動作を説明するフローチャートである。
【図１１】図１０に示した品名／価格表示処理を説明するフローチャートである。
【図１２】図１０に示した電子棚札単位検品処理を説明するフローチャートである。
【図１３】同一実施の形態における初期画面１０００を示す図である。
【図１４】同一実施の形態における棚割表示画面１１００を示す図である。
【図１５】同一実施の形態における電子棚札単位の検品結果を示す図である。
【図１６】同一実施の形態の変形例の構成を示すブロック図である。
【符号の説明】
１００  ホストコンピュータ
３００  電子棚管理装置
３０３  制御部
３０４  タッチパネル付き表示部
５００1 〜５００n  電子棚札
７００1〜７００m  スーパタグ
８００1〜８００s  タグリーダ
【図１】
0004017424.tif 000003
【図２】
0004017424.tif 000004
【図３】
0004017424.tif 000005
【図４】
0004017424.tif 000006
【図５】
0004017424.tif 000007
【図６】
0004017424.tif 000008
【図７】
0004017424.tif 000009
【図８】
0004017424.tif 000010
【図９】
0004017424.tif 000011
【図１０】
0004017424.tif 000012
【図１１】
0004017424.tif 000013
【図１２】
0004017424.tif 000014
【図１３】
0004017424.tif 000015
【図１４】
0004017424.tif 000016
【図１５】
0004017424.tif 000017
【図１６】
0004017424.tif 000018